(57)【要約】      （修正有）【課題】光触媒層に十分光が当たるようにして、抗菌効果・消臭効果を十分発揮させる靴の保形具を提供する。【解決手段】保形具本体（４）と、この保形具本体から突出した葉状体部分（３）からなり、前記葉状体部分（３）はその表面に光触媒層を有する。前記光触媒層はアナターゼ型酸化チタン層が好ましい。前記保形具本体（４）は消臭不織布の表面生地（５）と吸湿剤の内部収容物（６）からなるのが好ましい。前記消臭不織布は改質セルロース繊維であるのが好ましい。表面生地（５）は表側生地と裏側生地からなり、前記表側生地が不織布であり、前記裏側生地が前記消臭不織布であるのが好ましい。前記吸湿剤はシリカゲルであるであるのが好ましい。【選択図】図１
0003118174.tif 000002
【実用新案登録請求の範囲】
【請求項１】
保形具本体（４）と、この保形具本体から突出した葉状体部分（３）からなり、前記葉状体部分（３）はその表面に光触媒層を有することを特徴とする靴の保形具。
【請求項２】
前記光触媒層がアナターゼ型酸化チタン層である請求項１記載の保形具。
【請求項３】
前記保形具本体（４）が消臭不織布の表面生地（５）と吸湿剤の内部収容物（６）からなる請求項１又は２記載の保形具。
【請求項４】
前記消臭不織布が改質セルロース繊維である請求項３記載の保形具。
【請求項５】
表面生地（５）が表側生地（５１）と裏側生地（５２）からなり、前記表側生地（５１）は不織布であり、前記裏側生地（５２）が前記消臭不織布である請求項３又は４の何れかに記載の保形具。
【請求項６】
前記吸湿剤がシリカゲルであるである請求項３ないし５のいずれかに記載の保形具。
【請求項７】
前記葉状体が野菜、花、観葉植物の何れかである請求項１ないし６のいずれかに記載の保形具。
【考案の詳細な説明】
【技術分野】
【０００１】
本考案は、吸湿及び消臭効果を有する靴の保形具に関する。特に、女性用のブーツの保形に適するが、その他の靴にも適用可能である。
【背景技術】
【０００２】
吸湿及び消臭効果を有する靴の保形具としては、例えば下記特許文献１が知られている。これは、膨出時にブーツ筒状部の内部脹脛形状に相当する外形を形成する透明プラスチック製の筒状袋体であって、その上部壁に圧縮空気注入・排出用バルブを備えてなるブーツの形状保持具である。
【特許文献１】実用新案登録第３０８１３１８号
【考案の開示】
【考案が解決しようとする課題】
【０００３】
特許文献１には、ブーツの形状保持具の透明プラスチック製の筒状袋体の表面に、光触媒層を形成することで、抗菌・消臭効果を発揮させることができる、との記載がある（同公報［０００８］参照）。光触媒層は、ブーツ内に挿入された状態で上方から蛍光灯あるいは自然光が照射されると、この光は表面の光触媒に当たり、そこで光触媒反応を起こす結果、光触媒層が接触しているブーツ内壁面に対して抗菌効果・消臭効果が発揮されるからである。
【０００４】
しかし、細長いブーツ内に保形具を挿入した状態で上方から蛍光灯あるいは自然光が十分に照射されるとは常識的に見て考えにくい。ブーツの上端付近に少し光が当たる程度ではないかと思われる。
【０００５】
後記するとおり、本考案でも光触媒層を設けるのであるが、本発明では、この光触媒層に十分光が当たるようにして、ブーツ等の周辺に抗菌効果・消臭効果を発揮させることを目的とする。
【課題を解決するための手段】
【０００６】
本考案の保形具は、保形具本体と、この保形具本体から突出した葉状体部分からなり、前記葉状体部分はその表面に光触媒層を有することを特徴とする。
【考案の効果】
【０００７】
本考案の保形具は、ブーツ等に挿入される本体が保形効果を有する。さらに、保形具本体から突出した葉状体部分に光触媒層が設けられており、ここには遮るものが何もないので、光が十分に照射される。光がこの光触媒に当たると、そこで光触媒反応を起こし、光触媒層の周辺で抗菌効果・消臭効果が発揮される。
【考案を実施するための最良の形態】
【０００８】
本考案の保形具は、保形具本体から突出した葉状体部分を有する。葉状体部分としては、例えば野菜（大根、人参、かぶら、等）、花（バラ、キク、等）、観葉植物（ポトス、ヤシ、ツタ、ゴムの木、等）が適当である。野菜の形を模したとき、保形部本体は地下の根のように見えて不自然さがない。
【０００９】
＜葉状体部分＞
葉状体部分は、基材とその表面の光触媒層からなる。
【００１０】
基材は、一種の造花であり、例えばプラスチック、織物、編物、厚紙、等で形成することができる。葉の形状に成形できるものであればどのようなものでもよいが、できるだけ、実際の葉に近い形状と色彩を持たせるようにするのが好ましい。
【００１１】
表面の光触媒層は、保形具本体から突出する葉状体の基材の表面にあり、保形具本体がブーツ内に挿入された状態でも外部に露出している。従って、上方から蛍光灯あるいは自然光が照射されると、この光は表面の光触媒に当たり、そこで光触媒反応を起こす結果、ブーツ等の周辺に抗菌効果・消臭効果が発揮される。
【００１２】
本考案の保形具の葉状体部分に形成される光触媒層は、液状の光触媒を噴霧したり、塗布することにより形成される。ここで特に好ましい光触媒としては、アナターゼ型酸化チタンが挙げられる。
【００１３】
こうした光触媒としては、例えば特許第２８７５９９３号公報に記載される「表面をペルオキソ基で修飾したアナターゼ微粒子が、水中に分散しているアナターゼ分散液」が好ましい。これは、チタン含有液体から沈殿法によって形成した水酸化チタン、もしくはチタン酸化物を水中に分散した液に、過酸化物を添加してペルオキソチタン溶液とした後に、ペルオキソチタン溶液を、８５〜２００℃において、４０〜２時間の加熱処理を行うことによって製造される。
【００１４】
光触媒は、酸化還元反応力を促進する物質であり、光触媒は、光が照射されると、電子（ｅ−）と正孔（ｈ＋）を発生させ、その電子と正孔により、水を水素と酸素に分解するという効果が生じさせる。そして、上記光触媒反応により、光触媒と接触している有機物は、酸化還元反応が促進され、前記有機物は酸化分解し、炭酸ガスや水に分解されるので、細菌は消滅し、臭い等は分解される。
【００１５】
光触媒、特にアナターゼ型酸化チタンは、太陽光や蛍光灯の紫外線で、光触媒反応を起こすので、光触媒層を形成してなる本考案のブーツの形状保持具は、室内等にブーツを保管する場合でも、光触媒層による抗菌・消臭作用が期待できる。
【００１６】
＜本体部分＞
本考案の保形具の本体部分は、表面生地と内部収容物からなるのが好ましい。
【００１７】
表面生地は１種類でもよいが、表側生地及び裏側生地に分けることが好ましい。
【００１８】
本体部分の表側生地は、植物的な外観や感触を出すため、不織布を使用するのが好ましい。
【００１９】
それに対して、裏側生地は、消臭不織布を使用するのが好ましい。消臭不織布としては、例えば特許第３２３９１４６号公報に記載されているように、「木綿繊維、麻繊維又はレーヨン繊維に、メタクリル酸をグラフト共重合反応させたものであって、該繊維に対するメタクリル酸のグラフト化率が７〜１５重量％であることを特徴とする改質セルロース繊維」を使用するのが好ましい。
【００２０】
この改質セルロース繊維は、その分子中にカルボキシル基を導入したことから、親水性の向上したものであると同時に、アンモニアやアミン、屎尿臭等の塩基性悪臭物質に対する吸着性にすぐれたもので、脱臭性繊維としての作用を示す。また、種々の金属イオンを捕捉する効果も示す。
【００２１】
保形具の本体部分の内部収容物は、例えば吸湿剤からなる。吸湿剤としてはシリカゲルが好ましい。
【実施例１】
【００２２】
以下、添付の図面に基づき、本考案の実施例を説明する。
【００２３】
図１は、本考案の靴の保形具１をブーツ２に使用している状態の斜視図である。  図２はその正面図であり、図３は図２の３−３横断面図である。
【００２４】
図１及び２に示すように、本実施例の保形具１は大根の形をしている。すなわち、葉状体３と円筒形の保形部本体４からなる。保形部本体４は大根の根部分と見なすことができる。
【００２５】
葉状体３は、基材がポリエステル製であり、その表面に酸化チタン加工を施している。酸化チタン加工とは、光触媒反応を起こす層を設けることであり、葉の表面（外面）に液状のアナターゼ型酸化チタンを噴霧したり、塗布することにより形成されている。
【００２６】
アナターゼ型酸化チタンは、太陽光や蛍光灯の紫外線で、光触媒反応を起こすので、本考案のブーツの形状保持具は、室内等にブーツを保管する場合でも、光触媒層による抗菌・消臭作用が期待できる。
【００２７】
本体部分４は、表面部分５と内部収容物６からなる。
【００２８】
本体部分の表面部分５は、表側生地５１（図３参照）は、植物的な風合いを出すため、不織布を使用している。それに対して、裏側生地５２は、消臭不織布の「スーパー消臭Ｗ３５」(ゼンテック株式会社)を使用している。「スーパー消臭Ｗ３５」は、その分子中にカルボキシル基を導入したの改質セルロース繊維であり、親水性の向上したものであると同時に、アンモニアやアミン、屎尿臭等の塩基性悪臭物質に対する吸着性にすぐれたもので、脱臭性繊維としての作用を示す。また、種々の金属イオンを捕捉する効果も示す。
【００２９】
本体部分の内部収容物６は吸湿剤のシリカゲルを使用している。
【００３０】
図２において右下に示されている球体７は、靴の先端の詰め物であり、前記本体部分と同じ構成を有する。
【図面の簡単な説明】
【００３１】
【図１】本考案の靴の保形具をブーツに使用している状態の斜視図である。
【図２】本考案の靴の保形具の正面図である。
【図３】図２の３−３横断面図である。
【符号の説明】
【００３２】
１     保形具
２     ブーツ
３     葉状体
４     本体部分
５     本体部分の表面
５１   表側生地
５２   裏側生地
６     内部収容物
７     先端詰め物
【図１】
0003118174.tif 000003
【図２】
0003118174.tif 000004
【図３】
0003118174.tif 000005